(57)【特許請求の範囲】
【請求項１】
一端部近傍に周段部および軸線に対して側方へ向う第２の突起を外面に形成した中空の回動軸と；
軸線に沿って２つ割された一対の２つ割り体を合わせて構成され、円筒状の側面および下面を有していて、下面中央に挿通孔を、内部に収納室および２つ割り体の合わせ面から見た内面中央部に合わせ面に向うように各収納室に第１の突起または溝を、それぞれ備え、周段部が外面に当接して回動軸の端部を回動可能に収納して支承する支承枠と；
環状をなしてその環に回動軸の端部が挿通し、外周部に支承枠の対向する一対の第１の突起または溝に係合する一対の第１の溝または突起が対向して形成され、環の内周部に回動軸の第２の突起または溝に係合する第２の溝または突起が対向位置に形成されていて、
支承枠の第１の突起または溝と上記外周部の第１の溝または突起とが係合して支承枠に対して第１の突起および第１の溝により決定される第１の所定角度範囲内においてのみ回動可能にする第１の回動規制手段を提供するとともに、回動軸の端部の第２の突起と上記環の内周部の第２の突起とが係合して回動軸を第２の突起と内周部の第２の突起により決定される第２の所定角度範囲内においてのみ相対的に回動可能にする第２の回動規制手段とを提供する支承枠内に配設され、第１および第２の突起が環の平面と平行に突出するように形成された回動角規制体と；
回動軸の端部を支承体に対して適度の摩擦力を作用させながら支承させる押さえ体と；
を具備し、前記第１の所定角度の終端位置と前記第２の所定角度の終端位置とが互いにずれていることを特徴とする回動軸の回動範囲規制機構。
【請求項２】
押さえ体は、回動軸の端部に固着されたナット、回動規制体およびナットの間において回動軸に回動不能に装着されたワッシャならびに波形ワッシャを含むことを特徴とする請求項１記載の回動軸の回動範囲規制機構。
【請求項３】
回動軸は、中空であり；回動軸の内部に挿通された絶縁被覆導体を具備している；ことを特徴とする請求項１または２記載の回動軸の回動範囲規制機構。
【請求項４】
一端部近傍に周段部および軸線に対して側方へ向う第２の突起を外面に形成した中空の回動軸と；
一端部近傍に周段部を形成した中空の回動軸と；
軸線に沿って２つ割された一対の２つ割り体を合わせて構成され、円筒状の側面および下面を有していて、下面中央に挿通孔を、内部に収納室および２つ割り体の合わせ面から見た内面中央部に合わせ面に向うように各収納室に第１の突起または溝を、それぞれ備え、周段部が外面に当接して回動軸の端部を回動自在に収納して支承する支承枠と；
環状をなしてその環に回動軸の端部が挿通し、外周部に支承枠の一対の第１の突起または溝に係合する第１の溝または突起が対向位置に形成され、環の内周部に回動軸の第２の突起または溝に係合する第２の溝または突起が形成されていて、支承枠の第１の突起または溝と上記外周部の第１の溝または突起とが係合して支承枠に対して第１の突起および第１の溝により決定される第１の所定角度範囲内においてのみ回動可能にする第１の回動規制手段を提供するとともに、回動軸の端部の第２の突起と上記環の内周部の第２の突起とが係合して回動軸を第２の突起と内周部の第２の突起により決定される第２の所定角度範囲内においてのみ相対的に回動可能にする第２の回動規制手段とを提供する支承枠内に配設され、第１および第２の突起が環の平面と平行に突出するように形成された回動角規制体と；
回動軸の端部を支承体に対して適度の摩擦力を作用させながら支承させる押さえ体と；
支承枠と一体的に形成された給電端と；
回動軸内に挿通されて一端が給電端に接続された絶縁被覆導体と；
回動軸の他端部側に装着されて絶縁被覆導体の他端が接続された灯体と；
を具備し、前記第１の所定角度の終端位置と前記第２の所定角度の終端位置とが互いにずれていることを特徴とする照明装置。
【請求項５】
給電端は、配線ダクト用プラグであることを特徴とする請求項４記載の照明装置。
【請求項６】
給電端は、フランジであることを特徴とする請求項４記載の照明装置。
【請求項７】
灯体は、回動軸の他端部に垂直面内で回動可能な本体、本体に装着されたソケット、頂部開口がソケットの近傍に位置するように配設された反射体およびソケットに装着されたランプを具備していることを特徴とする請求項４ないし６のいずれか一記載の照明装置。
【発明の詳細な説明】
【０００１】
【発明の属する技術分野】
本発明は回動軸の回動範囲規制機構およびこれを用いた照明装置に関する。
【０００２】
【従来の技術】
図１２は、従来の照明装置の取付装置を示す要部分解斜視図である。
【０００３】
この従来の照明装置の取付装置は、実公平４−２４５６６５号公報に開示されているものである。
【０００４】
図において、１０１はマウント、１０２は係止リング、１０３は回転軸、１０４はアームである。
【０００５】
マウント１０１は、半割体１０１ａ、１０１ｂをねじなどにより結合したもので、その下部には仕切板１０１ｃが形成されていて、マウント１０１の下壁１０１ｄと仕切板１０１ｃとの間に収納室１０１ｅが形成されている。マウント１０１の下壁１０１ｄには図示しない位置決めリブが形成されている。
【０００６】
係止リング１０２は、その周縁に一対の切欠１０２ａ、１０２ａが形成され、内周には係止片１０２ｂが形成されている。そして、係止リング１０２は、一対の切欠１０２ａ、１０２ａがマウント１０１の下壁１０１ｄの位置決めリブに係合するように収納室１０１ｅに収納される。１０１ｆは挿通孔である。
【０００７】
回転軸１０３は、軸部１０３ａの下端に鍔１０３ｂを有し、軸部１０３ａの上部周面にねじ溝１０３ｃが形成され、さらに軸部１０３ａの下部で鍔１０３ｂから離間した部位にはストッパ１０３ｄが形成されている。また、ストッパ１０３ｄが形成されている部位で軸部１０３ａの周面には溝１０３ｅが形成されている。さらに、軸部１０３ａは、断面形状がＤ形である。
【０００８】
アーム１０４は、回転軸１０３の軸部１０３ａの断面形状に合致する透孔１０４ａが形成されている。
【０００９】
そうして、回転軸１０３をアーム１０４の透孔１０４ａに下方から挿通して、係止リング１０２に挿通し、回転軸１０３のねじ溝１０３ｃに仕切板１０１ｃの上面側でワッシャ１０６を介してナット１０５をねじ係合させればよい。挿入後、回転軸の抜け止めがなされる。係止リング１０２に軸部１０３ａを挿入するときには、円弧以外の部位に係止片１０２ｂを合致させれば、回転軸１０３を係止リング１０２に対して回動させると、係止片１０２ｂが溝１０３ｅ内に導入され、係止リング１０２に対して回転軸１０３が回動自在になる。そして、その回転範囲は、係止片１０２ｂとストッパ１０３ｄとが当接することにより、３６０゜以下の範囲に規制される。
【００１０】
【発明が解決しようとする課題】
ところが、上記従来の構造では、ストッパ１０３ｄおよび係止片１０２ｂのそれぞれ幅の和による回転角度の分が３６０゜から減算された角度しか回転できない。そして、回転軸１０３の回転操作時には、ストッパ１０３ｄおよび係止片１０２ｂにともに大きなトルクが作用するので、強度上それらの幅を小さくすることができない。
【００１１】
したがって、せいぜい３００゜程度しか回転させることができないので、回転軸に挿通される電線が３６０゜を超えてよじれてはならないというＩＥＣの規格内容に対しては問題ないが、照明器具の水平面内において照射不可能なエリアが発生してしまうという問題がある。
【００１２】
照明器具の水平面における照射不可能なエリアが発生しないためには、なるべく３６０゜に近く、可能であればちょうど３６０゜まで回動可能な角度を確保しなければならない。
【００１３】
本発明は、新規な構造で３６０゜まで、要すれば３６０゜を超える回動ができるように製作することも可能にするとともに、回動角度規制体を支承枠内に配設しやすくした回動軸の回動範囲規制機構およびこれを用いた照明装置を提供することを目的とする。
【００１４】
【課題を達成するための手段】
請求項１の発明の回動軸の回動範囲規制機構は、一端部近傍に周段部および軸線に対して側方へ向う第２の突起を外面に形成した中空の回動軸と；軸線に沿って２つ割された一対の２つ割り体を合わせて構成され、円筒状の側面および下面を有していて、下面中央に挿通孔を、内部に収納室および２つ割り体の合わせ面から見た内面中央部に合わせ面に向うように各収納室に第１の突起または溝を、それぞれ備え、周段部が外面に当接して回動軸の端部を回動可能に収納して支承する支承枠と；環状をなしてその環に回動軸の端部が挿通し、外周部に支承枠の対向する一対の第１の突起または溝に係合する一対の第１の溝または突起が対向して形成され、環の内周部に回動軸の第２の突起または溝に係合する第２の溝または突起が対向位置に形成されていて、支承枠の第１の突起または溝と上記外周部の第１の溝または突起とが係合して支承枠に対して第１の突起および第１の溝により決定される第１の所定角度範囲内においてのみ回動可能にする第１の回動規制手段を提供するとともに、回動軸の端部の第２の突起と上記環の内周部の第２の突起とが係合して回動軸を第２の突起と内周部の第２の突起により決定される第２の所定角度範囲内においてのみ相対的に回動可能にする第２の回動規制手段とを提供する支承枠内に配設され、第１および第２の突起が環の平面と平行に突出するように形成された回動角規制体と；回動軸の端部を支承体に対して適度の摩擦力を作用させながら支承させる押さえ体と；を具備し、前記第１の所定角度の終端位置と前記第２の所定角度の終端位置とが互いにずれていることを特徴としている。
【００１５】
本発明および以下の各発明において、特に指定しない限り用語の定義および技術的意味は次による。
【００１６】
まず、回動軸について説明する。
【００１７】
回動軸のうち回動とは、軸が３６０゜またはそれ以上であっても２回転未満の角度範囲で回転する意味で用いている。そして、回動軸は内部が中空および充実のいずれでもよい。また、軸の長さは任意である。
【００１８】
また、回動軸の一端近傍の周段部は、回動軸の一端部の軸径を小さくすることにより形成するか、軸径より径の大きな鍔状の部分を設けることによって形成することができる。
【００１９】
さらに、回動軸の一端部には押さえ体を回動軸に取り付ける場合のねじ溝および非円形断面部などを必要に応じて形成することができる。
【００２０】
回動軸の端部には、回動角規制体の内周部の第２の溝または突起に係合して第２の回動規制手段を構成する第１の突起または溝を形成している。
【００２１】
次に、支承枠について説明する。
【００２２】
支承枠は、軸線に沿って２つ割りされた１対の２つ割り体を合わせて構成されている。
そして、円筒状の側面および下面を有していて、下面中央に挿通孔を、内部に収納室および２つ割り体の合わせ面から見た内面中央部に合わせ面に向う第１の突起または溝の一対が、対向位置に形成されている。また、回動軸の周端部が下面の外部に当接して回動軸の端部を回動可能に収納して支承する。
【００２３】
また、支承枠は、回動軸の用途に応じて他の機能を合わせ持つことができる。たとえば、回動軸を照明装置において灯体を支持するためのアームとして用いる場合に、支承枠に給電端の機能を付与することができる。
【００２４】
回動角規制体について説明する。
【００２５】
回動角規制体は、環状をなしていて支承枠内に配設される。そして、その外周部と支承枠との間に構成される第１の回動規制手段を提供するとともに、環の内周部と回動軸との間に構成される第２の回動規制手段を提供する。
【００２６】
すなわち、第１の回動規制手段は、支承枠に形成された１対の第１の突起または溝と回動角規制体の外周部に形成された１対の第１の溝または突起とで構成される。るとともに、環の内周部には第２の溝または突起が形成されている。この第２の溝または突起は、回動軸の外面に形成した第２の突起または溝と係合して第２の回動規制手段を提供する。
側方へ向かう第１の突起または溝と、回動角規制体の外周部に形成されて上記支承枠の第１の突起または溝に係合する側方へ向かう第１の溝または突起とで構成される。
【００２７】
そうして、回動角規制体は、第１の回動規制手段により、支承枠に対して第１の所定角度の範囲内で回動角規制体を回動することができる。
【００２８】
第２の回動規制手段は、中空の回動軸の端部に形成された第２の突起または溝と、回動角規制体の環の内周部に形成された第２の溝または突起とで構成される。
【００２９】
そうして、回動軸は、第２の回動規制手段により、回動角規制体に対して相対的に第２の所定角度範囲内で回動することができる。なお、ここで相対的にとは、回動軸の回動可能な角度範囲は回動角規制体に対する意味であって、支承枠に対する絶対的な回動ではない。
【００３０】
また、第１の回動規制手段および第２の回動規制手段は、第１の所定角度の範囲の終端位置と第２の所定角度の範囲の終端位置とが互いにずれているように構成されている。
【００３１】
さらに、押さえ体について説明する。
【００３２】
押さえ体は、回動軸を支承枠に適度の摩擦力を作用させて支承させるものであれば、どのような構造であってもよい。また、摩擦力は回動角規制体を介して間接的に作用してもよいし、直接支承枠に作用してもよい。
【００３３】
最後に、作用について説明する。
【００３４】
支承枠に対して、回動軸を、押さえ体によって付与された摩擦力に抗して、回動させていくと、第１の回動規制手段および第２の回動規制手段のうち回動しやすい方から順に、または両方が同時にそれぞれの所定角度範囲内で回動する。すなわち、第１の回動規制手段は、第１の所定角度範囲内での回動を許容する。また、第２の回動規制手段は第２の角度範囲内での回動を許容する。
【００３５】
そこで、第１の回動規制手段による第１の所定角度範囲をＡとし、第２の回動規制手段による第２の所定角度範囲をＢとすると、回動軸が支承枠に対して回動可能な最大許容回動角度はＡ＋Ｂとなることが上記説明から理解できる。
【００３６】
したがって、たとえ第２の所定角度範囲Ｂがせいぜい３００゜程度であったとしても、
第１の所定角度範囲を６０゜に設定することできるから、最大許容回動角度をちょうど３６０゜回動可能にすることは容易に実現できる。
【００３７】
必要に応じて、３６０゜を超える最大許容回動角度を設定することも可能である。
【００３８】
もちろん、３６０゜未満の最大許容回動角度を設定することも可能であることはいうまでもない。
【００３９】
上述の最大許容回動角度の範囲内で、回動した回動軸から手を離すと、回動軸は押さえ体によって付与された摩擦力のために、ある程度のトルクが回動軸に作用しても静止状態を維持することができる。
【００４０】
請求項２の発明の回動角規制機構は、請求項１記載の回動軸の回動範囲規制機構において、押さえ体は、回動軸の端部に固着されたナット、回動角規制体およびナットの間において回動軸に回動不能に装着されたワッシャならびに波形ワッシャを含むことを特徴としている。
【００４１】
本発明は、押さえ体の具体的な構造を規定したものである。
【００４２】
回動軸にナットを装着するためには、回動軸の所要部分に予めねじ溝を形成する必要がある。
【００４３】
また、ワッシャを回動軸に回動不能に装着するには、装着部の軸断面を非円形たとえばＤ字状、太鼓状などにすればよい。
【００４４】
さらに、支承枠内に仕切板を一体的に形成して回動角規制体を収納する収納室を形成することができるが、このような場合には、押さえ体を仕切板に当接させればよい。
【００４５】
なお、上記に加えてナイロンワッシャなどを装着することができる。
【００４６】
請求項３の発明の回動軸の回動範囲規制機構は、請求項１または２記載の回動軸の回動範囲規制機構において、回動軸は、中空であり；回動軸の内部に挿通された絶縁被覆導体を具備している；ことを特徴としている。
【００４７】
本発明は、回動軸を中空にしてその内部に絶縁被覆導体を挿通しているので、回動角度範囲を約３６０゜に設定することにより、ＩＥＣの規格を満足して、絶縁被覆電線がねじれて断線するおそれがない。しかも、１回転が可能であることにより、回動不能な範囲が生じない。
【００４８】
請求項４の発明の回動軸の照明装置は、一端部近傍に周段部および軸線に対して側方へ向う第２の突起を外面に形成した中空の回動軸と；一端部近傍に周段部を形成した中空の回動軸と；
軸線に沿って２つ割された一対の２つ割り体を合わせて構成され、円筒状の側面および下面を有していて、下面中央に挿通孔を、内部に収納室および２つ割り体の合わせ面から見た内面中央部に合わせ面に向うように各収納室に第１の突起または溝を、それぞれ備え、周段部が外面に当接して回動軸の端部を回動自在に収納して支承する支承枠と；環状をなしてその環に回動軸の端部が挿通し、外周部に支承枠の一対の第１の突起または溝に係合する第１の溝または突起が対向位置に形成され、環の内周部に回動軸の第２の突起または溝に係合する第２の溝または突起が形成されていて、支承枠の第１の突起または溝と上記外周部の第１の溝または突起とが係合して支承枠に対して第１の突起および第１の溝により決定される第１の所定角度範囲内においてのみ回動可能にする第１の回動規制手段を提供するとともに、回動軸の端部の第２の突起と上記環の内周部の第２の突起とが係合して回動軸を第２の突起と内周部の第２の突起により決定される第２の所定角度範囲内においてのみ相対的に回動可能にする第２の回動規制手段とを提供する支承枠内に配設され、第１および第２の突起が環の平面と平行に突出するように形成された回動角規制体と；回動軸の端部を支承体に対して適度の摩擦力を作用させながら支承させる押さえ体と；支承枠と一体的に形成された給電端と；回動軸内に挿通されて一端が給電端に接続された絶縁被覆導体と；回動軸の他端部側に装着されて絶縁被覆導体の他端が接続された灯体と；を具備し、前記第１の所定角度の終端位置と前記第２の所定角度の終端位置とが互いにずれていることを特徴としている。
【００４９】
給電端とは、絶縁被覆導体を経由して灯体に給電するために、電源に対する受電機能を備えている端末をいう。具体的には、電源線に対する結線機能としての端子台や配線ダクトに対するプラグなどが該当する。
【００５０】
本発明は、請求項１の回動軸の回動範囲規制機構を照明装置に適用したものである。
【００５１】
灯体の構成は、照明装置の種類によって変わるから、特に限定されない。しかし、ランプを含み、必要に応じて反射体、ソケット、透光性カバーなどを備えている。
【００５２】
灯体は、回動軸の他端部に直接装着してもよいし、回動軸の他端部にアームを固定し、
アームの他端部に装着するなどの間接的な装着を行ってもよい。
【００５３】
照明装置としては、スポットライト、照明スタンド、投光器などに適用することができる。
【００５４】
請求項５の発明の照明装置は、請求項４記載の照明装置において、給電端は、配線ダクト用プラグであることを特徴としている。
【００５５】
配線ダクト用プラグは、配線ダクトから受電するために用いられるもので、配線ダクトに機械的に引っ掛ける引掛部、配線ダクト内の導体に圧接する接触刃に接続するとともに、絶縁被覆導体を接続する端子などを備えている。
【００５６】
本発明は、配線ダクトに接続するスポットライトに好適である。
【００５７】
請求項６の発明の照明装置は、請求項４記載の照明装置において、給電端は、フランジであることを特徴としている。
【００５８】
【００５９】
本発明は、天井に固定されるスポットライトに好適である。
【００６０】
請求項７の発明の照明装置は、請求項４ないし６のいずれか一記載の照明装置において、灯体は、回動軸の他端部に垂直面内で回動可能な本体、本体に装着されたソケット、頂部開口がソケットの近傍に位置するように配設された反射体およびソケットに装着されたランプを具備していることを特徴としている。
【００６１】
本発明は、スポットライトに好適な灯体の構成を規定している。
【００６２】
本体は、合成樹脂またはアルミニウムダイキャストなどの金属製で、構造は所望のデザインおよび機能に応じて異なる。
【００６３】
ソケットは、使用するランプの種類に応じて所要のものを用いる。
【００６４】
反射体は、金属またはガラス基体の内面に多層干渉膜からなる熱線透過・可視光反射膜を備えたもの、アルミニウム反射面のものなどを採用することができる。
【００６５】
ランプは、可視光透過・熱線反射膜を備えるか、または備えないハロゲン電球、反射形シールドビーム電球、反射形電球および小形高輝度放電ランプなどが主に用いられる。
【００６６】
【発明の実施の形態】
以下、本発明の実施の形態を図面を参照して説明する。
【００６７】
図１は、本発明の回動軸の回動範囲規制機構および照明装置の第１の実施形態を示す要部拡大断面図である。
【００６８】
図２は、図１のII−II'に沿う断面図である。
【００６９】
各図において、１は中空の回動軸、２は支承枠、３は回動角規制体、４は押さえ体、５は配線ダクト用プラグである。
【００７０】
回動軸１について説明する。
【００７１】
中空の回動軸１は、端部近傍に周段部１ａを備え、また端部には第１小径部１ｂ、第２小径部１ｃ、軸線に対して側方へ向う第２の突起１ｄおよびねじ溝１ｅが形成され、さらに軸方向に沿って中空部１ｆが形成されている。
【００７２】
周段部１ａは、第１小径部１ｂによって形成されている。
【００７３】
第２の突起１ｄは、第２小径部１ｃの外面から側方へ突出して１個形成されている。
【００７４】
回動軸１のその他の構造を図３ないし図５を参照して説明する。
【００７５】
図３は、本発明の回動軸の回動範囲規制機構および照明装置の第１の実施形態における回動軸を示す正面図である。
【００７６】
図４は、同じく左側面図である。
【００７７】
図５は、同じく平面図である。
中空の回動軸１の端部には、さらに中空部に達しない部位断面非円形部１ｇが形成されている。この断面非円形部１ｇは、第２小径部１ｃの部分に形成されている。
【００７８】
回動軸１の他端には、直交する短円筒部１ｈが一体に形成されている。そして、中空部１ｆは短円筒部１ｈを貫通して形成されている。
【００７９】
支承枠２について説明する。
【００８０】
支承枠２は、軸線に沿って２つ割りされた１対の２つ割り体を合わせて構成され、円筒側面および下面を有していて、下面中央に挿通孔２ａ、内部に収納室２ｂおよび１対の第１の突起２ｃを備えている。
【００８１】
挿通孔２ａは、２つ割り体の合わせ目に跨って下面に形成されており、回動軸１の第１小径部１ｂが挿通する。そして、回動軸１の周段部１ａは支承枠２の下面に当接する。
【００８２】
収納室２ｂは、挿通孔２ａに隣接して形成されており、回動角規制体３が収納される。
【００８３】
１対の第１の突起２ｃは、図２に示すように、１対の２つ割り体のそれぞれの内面中央に位置し、かつ２つ割り体の合わせ面に向って形成されている。したがって、１対の第１の突起２ｃは、収納室２ｂの内部において、回動軸の軸線に対して回転対称位置に形成されている。
【００８４】
回動角規制体３について説明する。
【００８５】
図６は、本発明の回動軸の回動範囲規制機構および照明装置の第１の実施形態における回動角規制体を示す正面図である。
【００８６】
回動角規制体３は、支承枠２内に配設されていて、図示のように環状であり、外周部に一対の円弧状をなした第１の溝３ａ、３ａを形成し、また環の内周部にほぼ円環状の第２の溝３ｂを形成している。
【００８７】
回動角規制体３の第１の溝３ａを第１の突起２ｃに係合させて、回動角規制体３を支承枠２の収納室２ｂに収納させる。なお、第１の溝３ａ、３ａおよび第２の溝３ｂのそれぞれの円弧の中心は、回動軸１の中心と同心関係になっている。
【００８８】
一方、回動軸１の第２の突起１ｄを第２の溝３ｂ内に係合させて、回動角規制体３の環の中に回動軸１の端部を挿入する。
【００８９】
支承枠２の第１の突起２ｃおよび回動角規制体３の第１の溝３ａは、第１の回動規制手段６を構成している。
【００９０】
また、回動軸１の第２の突起１ｄおよび回動角規制体３の内周部の第２の溝３ｄは、第２の回動規制手段７を構成している。
【００９１】
押さえ体４について説明する。
【００９２】
押さえ体４は、ナット４ａ、ワッシャ４ｂおよび波形ワッシャ４ｃからなる。
【００９３】
ナット４ａは、回動軸１の端部に形成されたねじ溝１ｅにねじ込まれる。
【００９４】
図７は、本発明の回動軸の回動範囲規制機構および照明装置の第１の実施形態におけるワッシャを示す正面図である。
【００９５】
ワッシャ４ｂは、非円形の孔４ｂ１が中心部に形成され、孔４ｂ１を回動軸１の端部の第２小径部１ｃに形成された断面非円形部１ｇに装着される。
【００９６】
そうして、回動角規制体３の上に押さえ体４を波形ワッシャ４ｃ、ワッシャ４ｂおよびナット４ａの順に装着し、ナット４ａを締めると、波形ワッシャ４ｃの弾力が回動角規制体３を介して支承枠２に伝達され、回動軸１と支承枠２との間に摩擦力として作用する。
【００９７】
配線ダクト用プラグ５について説明する。
【００９８】
図１に示すように、配線ダクト用プラグ５は、支承枠１と一体に構成されている。そして、引掛部５ａ、一対の接触刃５ｂおよび端子５ｃを備えている。
【００９９】
引掛部５ａは、支承枠１と一体に成形されて、支承枠１の上方へ突出している。
【０１００】
【０１０１】
その他の構成について説明すると、８は絶縁被覆導体で、回動軸１の中空部１ｆに挿通され、端子５ｃに接続されている。
【０１０２】
作用について説明する。
【０１０３】
支承枠２に対して、回動軸１を押さえ体４による摩擦力に抗して回動させると、図２において、第２の回動規制手段７により、回動軸１の第２の突起１ｄと回動角規制体３の第２の溝３ｂとの間で最大角度Ａの第２の所定角度範囲内での回動ができる。
【０１０４】
一方、第１の回動規制手段６により、回動角規制体３の第１の溝３ａと支承枠２の第１の突起２ｃとの間で最大角度Ｂの第１の所定角度範囲内での回動ができる。
【０１０５】
結局、回動軸１と支承枠２との間では、最大角度Ａ＋Ｂの回動が可能であることになる。
【０１０６】
したがって、最大角度ＡおよびＢをそれぞれ所望に設定することにより、３６０゜を中心にその前後に任意の角度までの回動ができるようにすることができる。
【０１０７】
図８は、本発明の回動軸の回動範囲規制機構の第２の実施形態を示す図２と同様な断面図である。
【０１０８】
図において、図２と同一部分については同一符号を付して説明は省略する。
【０１０９】
本実施形態は、第１の回動規制手段６’が異なる。すなわち、支承枠の内面に回動軸１の軸線に対して側方へ向う第１の溝２ｃを形成し、回動角規制体３に第１の溝２ｃと係合する第１の突起３ｃを形成したものである。
【０１１０】
図９は、本発明の照明装置の一実施形態であるスポットライトの一部中央断面側面図である。
【０１１１】
図において、図１と同一部分については同一符号を付して説明は省略する。９は本体、１０はソケット、１１は反射体、１２はランプ、１３は遮光筒である。
【０１１２】
本体９は、アルミニウムダイキャスト製で、回動軸１の短円筒部１ｈに垂直面内で回動自在に取り付けられている。
【０１１３】
ソケット１０は、本体９内に配設され絶縁被覆導体（図示しない。）の他端が接続される。
【０１１４】
反射体１１は、その頂部開口１１ａがソケット１０の近傍に位置して配設されている。
【０１１５】
ランプ１２は、ソケット１０に装着され、その発光中心が反射体１１のほぼ焦点に位置にする。
【０１１６】
遮光筒１３は、反射体１１に対向して本体９に取り付けられ、ランプ１２の頭部を覆う遮光キャップ１３ａを支持している。また、遮光筒１３の前面に保護ガラスを装着可能に構成されている。
【０１１７】
図１０は、本発明の照明装置の他の実施形態におけるフランジを示す側面図でる。
【０１１８】
図１１は、同じく正面図である。
【０１１９】
図において、１４はフランジ本体で、下面中央に形成した挿通孔１４ａから内部に挿入した回動軸の端部に回動角規制体および押さえ体を装着することにより、回動軸を所定角度内で回動可能に支承する。
【０１２０】
また、フランジ本体１４は、端子台などを収納している。
【０１２１】
【発明の効果】
請求項１ないし３の各発明によれば、支承枠の２つ割り体の内面中央に形成して互いに対向して位置する１対の第１の突起または溝と支承枠内に配設される回動角規制体の外周部に互いに対向して位置して形成された１対の第１の溝または突起との係合により構成される第１の回動規制手段により第１の所定角度の範囲内で支承枠に対して回動角規制体を回動可能し、中空の回動軸の端部の外面に形成された第２の突起または溝と上記回動角規制体の環の内周部に形成した第２の溝または突起との係合により構成される第２の回動規制手段により第２の所定角度の範囲内で回動可能にするとともに、回動角度規制体を支承枠内に配設しやすくした回動軸の回動範囲規制機構を提供することができる。
【０１２２】
請求項２の発明によれば、加えて押さえ体をナット、ワッシャおよび波形ワッシャを含んで構成したことにより、組み立ての容易な回動軸の回動範囲規制機構を提供することができる。
【０１２３】
請求項３の発明によれば、加えて回動軸が中空で、内部に絶縁被覆導体を挿通したことにより、絶縁被覆導体がよじれないから、断線しにくい回動軸の回動範囲規制機構を提供することができる。
【０１２４】
請求項４ないし７の各発明によれば、請求項１ないし３の効果を有する照明装置を提供することができる。
【０１２５】
請求項５の発明によれば、加えて配線ダクト用プラグを備えていることにより、配線ダクトに装着できる照明装置を提供することができる。
【０１２６】
請求項６の発明によれば、加えてフランジを備えていることにより、天井に直接取り付けられる照明装置を提供することができる。
【０１２７】
請求項７の発明によれば、加えてスポットライトに好適な照明装置を提供することができる。
【図面の簡単な説明】
【図１】  本発明の回動軸の回動範囲規制機構および照明装置の第１の実施形態を示す要部拡大断面図
【図２】  図１のII−II'線に沿う断面図
【図３】  本発明の回動軸の回動範囲規制機構および照明装置の第１の実施形態における回動軸を示す正面図
【図４】  同じく左側面図
【図５】  同じく平面図
【図６】  本発明の回動軸の回動範囲規制機構および照明装置の第１の実施形態における回動角規制体を示す正面図
【図７】  本発明の回動軸の回動範囲規制機構の第１の実施形態におけるワッシャを示す正面図
【図８】  本発明の回動軸の回動範囲規制機構および照明装置の第２の実施形態を示す図２と同様な断面図
【図９】  本発明の照明装置の一実施形態であるスポットライトの一部中央断面側面図
【図１０】  本発明の照明装置の他の実施形態におけるフランジを示す側面図
【図１１】  同じく正面図
【図１２】  従来の照明装置の取付装置を示す要部分解斜視図
【符号の説明】
１…回動軸
１ｄ…第２の突起
１ｆ…中空部
１ｇ…断面非円形部
２…支承枠
２ｂ…収納室
２ｃ…第１の突起
３…回動角規制体
３ａ…第１の溝
３ｂ…第２の溝
６…第１の回動規制手段
７…第２の回動規制手段
Ａ…第１の所定角度範囲
Ｂ…第２の所定角度範囲
【図１】
0003944755.tif 000002
【図２】
0003944755.tif 000003
【図３】
0003944755.tif 000004
【図４】
0003944755.tif 000005
【図５】
0003944755.tif 000006
【図６】
0003944755.tif 000007
【図７】
0003944755.tif 000008
【図８】
0003944755.tif 000009
【図９】
0003944755.tif 000010
【図１０】
0003944755.tif 000011
【図１１】
0003944755.tif 000012
【図１２】
0003944755.tif 000013